【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
内部領域（interior region）を定義する第１側壁（first side wall）、第２側壁（second side wall）、および第３側壁（third side wall）を含む重合体発泡容器（polymeric foam container）であって、前記第３側壁は、前記第１側壁と前記第２側壁との間に延びているとともに、前記第１側壁および前記第２側壁に垂直であり、前記第１側壁、前記第２側壁、および前記第３側壁はそれぞれ、その中に延びている第１グルーブ、第２グルーブ、および第３グルーブを有する、重合体発泡容器と、
第１外周レッジ部（first peripheral ledge portion）、第２外周レッジ部（second peripheral ledge portion）、および第３外周レッジ部（third peripheral ledge portion）を有する第１電池セルであって、前記第１電池セルの前記第３外周レッジ部は、その前記第１外周レッジ部と前記第２外周レッジ部との間に延びているとともに、その前記第１外周レッジ部および前記第２外周レッジ部に垂直であり、その前記第１外周レッジ部、前記第２外周レッジ部、および前記第３外周レッジ部はそれぞれ、前記第１グルーブ、前記第２グルーブ、および前記第３グルーブに配置されるように、前記第１電池セルは前記内部領域に配置されている、第１電池セルと、
を備えることを特徴とする電池セルアセンブリ。
【請求項２】
前記第１側壁、第２側壁、および第３側壁は、第１側壁、第２側壁、および第３側壁内にそれぞれ延びている第４グルーブ、第５グルーブ、および第６グルーブをさらに含み；前記第４グルーブ、第５グルーブ、および第６グルーブは、第１グルーブ、第２グルーブ、および第３グルーブにそれぞれ平行に延びており；
前記電池セルアセンブリは、第１外周レッジ部、第２外周レッジ部、および第３外周レッジ部と共に第１四角形状本体部を含む第２電池セルをさらに含み、
前記第２電池セルの第１外周レッジ部および第２外周部は、互いに平行に延びており；前記第２電池セルの第３外周レッジ部は、第２電池セルの第１外周レッジ部と第２外周レッジ部との間に延び、第２電池セルの第１外周レッジ部と第２外周レッジ部に垂直であり；そして、前記第２電池セルは、第１外周レッジ部、第２外周レッジ部、および第３外周レッジ部が、第１側壁、第２側壁、および第３側壁の第４グルーブ、第５グルーブ、および第６グルーブそれぞれに位置するように、内部領域に位置することを特徴とする請求項１に記載の電池セルアセンブリ。
【請求項３】
内部空間（inner space）を定義するプラスチックハウジング（plastic housing）とハウジングカバー（housing cover）とを含み、前記重合体発泡容器と第１電池セルは、内部空間に位置し、前記ハウジングカバーは、プラスチックハウジングの開口を覆うために開口上に位置し、前記ハウジングカバーは、プラスチックハウジングに連結されていることを特徴とする請求項１に記載の電池セルアセンブリ。
【請求項４】
前記重合体発泡容器は、上部壁（top wall）と、下部壁（bottom wall）と、第４側壁（fourth side wall）とをさらに含み、前記第４側壁は、第１側壁と第２側壁との間に延び、第１側壁と第３側壁に垂直であることを特徴とする請求項１に記載の電池セルアセンブリ。
【請求項５】
前記重合体発泡容器は、下部壁、第４側壁、および上部壁を定義する第１単一重合体発泡アセンブリ（first unitary polymeric foam assembly）を含み；前記下部壁は、第１リビングヒンジ（first living hinge）を用いて第４側壁に回転可能に（rotatably）連結されており、前記第４側壁は、第２リビングヒンジ（second living hinge）を用いて上部壁に回転可能に連結されており；前記第１リビングヒンジは、第２リビングヒンジに平行に延びていることを特徴とする請求項４に記載の電池セルアセンブリ。
【請求項６】
前記下部壁は、外部四角形状面（outer rectangular-shaped surface）と、内部四角形状面（inner rectangular-shaped surface）と、第１台形状側面（first trapezoidal-shaped side surface）と、第２台形状側面（second trapezoidal-shaped surface）と、第３台形状側面（third trapezoidal-shaped surface）と、第４台形状側面（fourth trapezoidal-shaped surface）とを含み；前記下部壁の外部四角形状面は、下部壁の内部四角形状面に実質的に平行に位置し、前記下部壁の外部四角形状面は、下部壁の内部四角形状面より大きく；前記下部壁の第１台形状側面、第２台形状側面、第３台形状側面、および第４台形状側面は、下部壁の外部四角形状面と内部四角形状面との間に連結されて延びていることを特徴とする請求項５に記載の電池セルアセンブリ。
【請求項７】
前記下部壁は、下部壁の内部四角形状面に延びている第４グルーブ（fourth groove）をさらに含み、前記第４グルーブは、下部壁の第１台形状側面から第２台形状側面に延び、前記第４グルーブは、相互連結アセンブリ（interconnect assembly）の一部を第４グルーブに収納できるように、大きさと形状が調整されていることを特徴とする請求項６に記載の電池セルアセンブリ。
【請求項８】
前記第４側壁は、外部四角形状面と、内部四角形状面と、第１台形状側面と、第２台形状側面と、第３台形状側面と、第４台形状側面とを含み；前記第４側壁の外部四角形状面は、第４側壁の内部四角形状面に実質的に平行に位置し、前記下部壁の外部四角形状面は、第４側壁の内部四角形状面より大きく；前記第４側壁の第１台形状側面、第２台形状側面、第３台形状側面、および第４台形状側面は、第４側壁の外部四角形状面と内部四角形状面との間に連結されて延びていることを特徴とする請求項６に記載の電池セルアセンブリ。
【請求項９】
前記第１リビングヒンジは、下部壁の第４台形状側面と第４側壁の第１台形状側面との間に位置することを特徴とする請求項８に記載の電池セルアセンブリ。
【請求項１０】
前記上部壁は、外部四角形状面と、内部四角形状面と、第１台形状側面と、第２台形状側面と、第３台形状側面と、第４台形状側面とを含み；前記上部壁の外部四角形状面は、上部壁の内部四角形状面に実質的に平行に位置し、前記上部壁の外部四角形状面は、上部壁の内部四角形状面より大きく；前記上部壁の第１台形状側面、第２台形状側面、第３台形状側面、および第４台形状側面は、上部壁の外部四角形状面と内部四角形状面との間に連結されて延びていることを特徴とする請求項８に記載の電池セルアセンブリ。
【請求項１１】
前記第２リビングヒンジは、上部壁の第４台形状側面と上部壁の第１台形状側面との間に位置することを特徴とする請求項１０に記載の電池セルアセンブリ。
【請求項１２】
前記上部壁は、上部壁の内部四角形状面に延びている第４グルーブをさらに含み、前記第４グルーブは、上部壁の第１台形状側面から第２台形状側面に延び、前記第４グルーブは、相互連結アセンブリの一部を第４グルーブに収納できるように、大きさと形状が調整されていることを特徴とする請求項１０に記載の電池セルアセンブリ。
【請求項１３】
前記重合体発泡容器は、第１側壁、第２側壁、および第３側壁を定義する第２単一重合体発泡アセンブリ（second unitary polymeric foam assembly）を含み；前記第１側壁は、第２側壁と第３側壁との間に位置し、前記第２側壁は、第３リビングヒンジ（third living hinge）を用いて第１側壁に回転可能に連結されており；前記第３側壁は、第４リビングヒンジ（fourth living hinge）を用いて第１側壁に回転可能に連結されており；前記第３リビングヒンジは、第４リビングヒンジに平行に延びていることを特徴とする請求項５に記載の電池セルアセンブリ。
【請求項１４】
前記第１側壁は、外部四角形状面と、内部四角形状面と、第１台形状側面と、第２台形状側面と、第３台形状側面と、第４台形状側面とを含み；前記第１側壁の外部四角形状面は、第１側壁の内部四角形状面に実質的に平行に位置し、前記第１側壁の外部四角形状面は、第１側壁の内部四角形状面より大きく；前記第１側壁の第１台形状側面、第２台形状側面、第３台形状側面、および第４台形状側面は、第１側壁の外部四角形状面と内部四角形状面との間に連結されて延びていることを特徴とする請求項１３に記載の電池セルアセンブリ。
【請求項１５】
前記第１グルーブは、第１側壁の内部四角形状面に延びており、前記第１グルーブは、第１側壁の第３台形状側面から第４台形状側面に延びていることを特徴とする請求項１４に記載の電池セルアセンブリ。
【請求項１６】
前記第２側壁は、外部四角形状面と、内部四角形状面と、第１台形状側面と、第２台形状側面と、第３台形状側面と、第４台形状側面とを含み；前記第２側壁の外部四角形状面は、第２側壁の内部四角形状面に実質的に平行に位置し、前記第２側壁の外部四角形状面は、第２側壁の内部四角形状面より大きく；前記第２側壁の第１台形状側面、第２台形状側面、第３台形状側面、および第４台形状側面は、第２側壁の外部四角形状面と内部四角形状面との間に連結されて延びていることを特徴とする請求項１４に記載の電池セルアセンブリ。
【請求項１７】
前記第３リビングヒンジは、第２側壁の第４台形状側面と第１側壁の第１台形状側面に近接して位置することを特徴とする請求項１６に記載の電池セルアセンブリ。
【請求項１８】
前記第２グルーブは、第１側壁の内部四角形状面に延びており、前記第２グルーブは、第２側壁の第４台形状側面から第３台形状側面に向かって延びていることを特徴とする請求項１６に記載の電池セルアセンブリ。
【請求項１９】
前記第２側壁は、第２側壁の内部四角形状面に延びている第４グルーブをさらに含み、前記第４グルーブは、第２側壁の第１台形状側面から第２台形状側面に延び、第２グルーブに実質的に垂直であり、前記第４グルーブは、相互連結アセンブリの一部を第４グルーブに収納できるように、大きさと形状が調整されていることを特徴とする請求項１８に記載の電池セルアセンブリ。
【請求項２０】
前記第３側壁は、外部四角形状面と、内部四角形状面と、第１台形状側面と、第２台形状側面と、第３台形状側面と、第４台形状側面とを含み；前記第３側壁の外部四角形状面は、第３側壁の内部四角形状面に実質的に平行に位置し、前記第３側壁の外部四角形状面は、第３側壁の内部四角形状面より大きく；前記第３側壁の第１台形状側面、第２台形状側面、第３台形状面、および第４台形状側面は、第３側壁の外部四角形状面と内部四角形状面との間に連結されて延びていることを特徴とする請求項１８に記載の電池セルアセンブリ。
【請求項２１】
前記第３グルーブは、第３側壁の内部四角形状面に延びており、前記第３グルーブは、第３側壁の第３台形状側面から第４台形状側面に向かって延びていることを特徴とする請求項２０に記載の電池セルアセンブリ。
【請求項２２】
前記第３側壁は、第３側壁の内部四角形状面に延びている第４グルーブをさらに含み、前記第４グルーブは、第３側壁の第１台形状側面から第２台形状側面に延び、第３グルーブに実質的に垂直であり、前記第４グルーブは、相互連結アセンブリの一部を第４グルーブに収納できるように、大きさと形状が調整されていることを特徴とする請求項２１に記載の電池セルアセンブリ。
【請求項２３】
前記第４リビングヒンジは、第１側壁の第４台形状側面と第３側壁の第１台形状側面との間に位置することを特徴とする請求項２０に記載の電池セルアセンブリ。